(57)【特許請求の範囲】
【請求項１】
外部の紙葉類搬送手段から送り込まれた紙葉類を、テープとともに集積側のドラムに巻き付けることで集積し、前記テープを巻戻し側のドラムで巻き取ることで前記集積側のドラムに集積されていた紙葉類を前記紙葉類搬送手段へ繰り出す紙葉類集積繰出装置において、
前記集積側のドラムへの前記テープの巻付情報に基づいて、現在使用中の前記テープの前記集積側と前記巻戻し側とをそれまでとは逆にする入れ替え、および前記テープの新品への交換のいずれか一方を選択して指示する制御部を有し、
前記テープは、略円筒形状の第１のテープ芯に一端側が固定され、略円筒形状であって前記第１のテープ芯と同内径の第２のテープ芯に他端側が固定されており、
前記集積側のドラムには、前記第１のテープ芯および前記第２のテープ芯がいずれも取付可能とされ、
前記巻戻し側のドラムにも、前記第１のテープ芯および前記第２のテープ芯がいずれも取付可能とされていることを特徴とする紙葉類集積繰出装置。
【請求項２】
前記集積側のドラムは、軸方向に分割可能であって分割側に前記第１のテープ芯の内周面および前記第２のテープ芯の内周面を嵌合可能な集積側ドラム本体と、該集積側ドラム本体を支持する集積側回転軸とを有し、
前記巻戻し側のドラムは、軸方向に分割可能であって分割側に前記第１のテープ芯の内周面および前記第２のテープ芯の内周面を嵌合可能な巻戻し側ドラム本体と、該巻戻し側ドラム本体を支持する巻戻し側回転軸とを有することを特徴とする請求項１に記載の紙葉類集積繰出装置。
【請求項３】
前記巻付情報は、前記集積側のドラムへの前記テープの巻付処理の実行回数と、前記巻付処理毎の紙葉類収納量または前記巻付処理１回当たりの紙葉類平均収納量からなることを特徴とする請求項１または２に記載の紙葉類集積繰出装置。
【請求項４】
前記制御部は、前記巻付情報を常時監視しつつ、該巻付情報が所定の入れ替え条件に合致すると、前記テープの前記集積側と前記巻戻し側との入れ替えを指示する一方、前記巻付情報が所定の交換条件に合致すると、前記テープの交換を指示することを特徴とする請求項１乃至３のいずれか一項に記載の紙葉類集積繰出装置。
【請求項５】
前記制御部は、操作部に照会指示が入力されると、該入力時点での巻付情報が所定の入れ替え条件に合致する場合、前記テープの前記集積側と前記巻戻し側との入れ替えを指示する一方、前記入力時点での巻付情報が所定の交換条件に合致する場合、前記テープの交換を指示し、さらに前記入力時点での巻付情報が前記入れ替え条件および前記交換条件のいずれにも合致しない場合、テープの現状維持を指示することを特徴とする請求項１乃至３のいずれか一項に記載の紙葉類集積繰出装置。
【請求項６】
外部の紙葉類搬送手段から送り込まれた紙葉類を、テープとともに集積側のドラムに巻き付けることで集積し、前記テープを巻戻し側のドラムで巻き取ることで前記集積側のドラムに集積されていた紙葉類を前記紙葉類搬送手段へ繰り出す紙葉類集積繰出装置において、
前記集積側のドラムへの前記テープの巻付情報に基づいて、現在使用中の前記テープの前記集積側と前記巻戻し側とをそれまでとは逆にする入れ替え、および前記テープの新品への交換のいずれか一方を選択して指示する制御部を有し、
前記巻付情報は、前記集積側のドラムへの前記テープの巻付処理の実行回数と、前記巻付処理毎の紙葉類収納量または前記巻付処理１回当たりの紙葉類平均収納量からなることを特徴とする紙葉類集積繰出装置。
【請求項７】
前記制御部は、前記巻付情報を常時監視しつつ、該巻付情報が所定の入れ替え条件に合致すると、前記テープの前記集積側と前記巻戻し側との入れ替えを指示する一方、前記巻付情報が所定の交換条件に合致すると、前記テープの交換を指示することを特徴とする請求項６に記載の紙葉類集積繰出装置。
【請求項８】
前記制御部は、操作部に照会指示が入力されると、該入力時点での巻付情報が所定の入れ替え条件に合致する場合、前記テープの前記集積側と前記巻戻し側との入れ替えを指示する一方、前記入力時点での巻付情報が所定の交換条件に合致する場合、前記テープの交換を指示し、さらに前記入力時点での巻付情報が前記入れ替え条件および前記交換条件のいずれにも合致しない場合、テープの現状維持を指示することを特徴とする請求項６に記載の紙葉類集積繰出装置。
【請求項９】
外部の紙葉類搬送手段から送り込まれた紙葉類を、テープとともに集積側のドラムに巻き付けることで集積し、前記テープを巻戻し側のドラムで巻き取ることで前記集積側のドラムに集積されていた紙葉類を前記紙葉類搬送手段へ繰り出す紙葉類集積繰出装置において、
前記集積側のドラムへの前記テープの巻付情報に基づいて、現在使用中の前記テープの前記集積側と前記巻戻し側とをそれまでとは逆にする入れ替え、および前記テープの新品への交換のいずれか一方を選択して指示する制御部を有し、
前記制御部は、前記巻付情報を常時監視しつつ、該巻付情報が所定の入れ替え条件に合致すると、前記テープの前記集積側と前記巻戻し側との入れ替えを指示する一方、前記巻付情報が所定の交換条件に合致すると、前記テープの交換を指示することを特徴とする紙葉類集積繰出装置。
【請求項１０】
外部の紙葉類搬送手段から送り込まれた紙葉類を、テープとともに集積側のドラムに巻き付けることで集積し、前記テープを巻戻し側のドラムで巻き取ることで前記集積側のドラムに集積されていた紙葉類を前記紙葉類搬送手段へ繰り出す紙葉類集積繰出装置において、
前記集積側のドラムへの前記テープの巻付情報に基づいて、現在使用中の前記テープの前記集積側と前記巻戻し側とをそれまでとは逆にする入れ替え、および前記テープの新品への交換のいずれか一方を選択して指示する制御部を有し、
前記制御部は、操作部に照会指示が入力されると、該入力時点での巻付情報が所定の入れ替え条件に合致する場合、前記テープの前記集積側と前記巻戻し側との入れ替えを指示する一方、前記入力時点での巻付情報が所定の交換条件に合致する場合、前記テープの交換を指示し、さらに前記入力時点での巻付情報が前記入れ替え条件および前記交換条件のいずれにも合致しない場合、テープの現状維持を指示することを特徴とする紙葉類集積繰出装置。
【発明の詳細な説明】
【技術分野】
【０００１】
本発明は、紙葉類集積繰出装置に関する。
【背景技術】
【０００２】
従来から、外部の紙葉類搬送手段から送り込まれた紙葉類を、テープとともに集積側のドラムに巻き付けることで集積し、テープを巻戻し側のドラムで巻き取ることで集積側のドラムに集積されていた紙葉類を紙葉類搬送手段へ繰り出す紙葉類集積繰出装置がある（例えば、特許文献１参照）。
【先行技術文献】
【特許文献】
【０００３】
【特許文献１】特開２０００−１２３２１９号公報
【発明の概要】
【発明が解決しようとする課題】
【０００４】
従来の紙葉類集積繰出装置においては、例えば、紙葉類をテープとともにドラムに巻き付けて集積する巻付処理の実行回数が、予め設定しておいた所定回数を超過すると、テープを新品に交換する運用がなされている。これは、取り扱う紙葉類の汚れ等がテープに付着することによる各センサの誤認識を防ぐため等によるものである。また、紙葉類集積繰出装置においては、仕様上、取り扱い可能紙葉類の一回あたりの最大集積量が設定されており、テープの最大巻付可能量（最大巻付可能長さ）もこれに合わせて決められているのが通常である。
【０００５】
ここで、一般的な顧客の使用状況では、巻付処理一回あたりのテープの巻付量（巻付長さ）は最大巻付可能量（最大巻付可能長さ）の半分以下であることが多く、上記テープ交換時期に対応する巻付回数が到来した場合には、テープは、その集積側の半分の使用頻度が高く、巻戻し側の半分は使用頻度が低い状態のまま、新品に交換されることになってしまう。このため、使用頻度が低かった巻戻し側の半分を有効活用すれば、テープの寿命を延ばしコストを低減することができる。一方で、顧客によっては、最大集積量近くまで紙葉類を集積させる頻度が高い場合もあり、このような使用状況では、上記テープ交換時期に対応する巻付回数が到来した場合に、テープを新品に交換しないと、センサの誤認識等を防ぐことができなくなってしまう。
【０００６】
本発明は、このような点に鑑みなされたもので、テープのメンテナンス内容を適正に指示することができる紙葉類集積繰出装置の提供を目的とする。
【課題を解決するための手段】
【０００７】
上記目的を達成するために、請求項１に係る発明は、外部の紙葉類搬送手段から送り込まれた紙葉類を、テープとともに集積側のドラムに巻き付けることで集積し、前記テープを巻戻し側のドラムで巻き取ることで前記集積側のドラムに集積されていた紙葉類を前記紙葉類搬送手段へ繰り出す紙葉類集積繰出装置において、前記集積側のドラムへの前記テープの巻付情報に基づいて、現在使用中の前記テープの前記集積側と前記巻戻し側とをそれまでとは逆にする入れ替え、および前記テープの新品への交換のいずれか一方を選択して指示する制御部を有することを特徴としている。
【０００８】
また、前記テープは、略円筒形状の第１のテープ芯に一端側が固定され、略円筒形状であって前記第１のテープ芯と同内径の第２のテープ芯に他端側が固定されており、前記集積側のドラムには、前記第１のテープ芯および前記第２のテープ芯がいずれも取付可能とされ、前記巻戻し側のドラムにも、前記第１のテープ芯および前記第２のテープ芯がいずれも取付可能とされていることを特徴としている。
【０００９】
請求項２に係る発明は、請求項１に係る発明において、前記集積側のドラムは、軸方向に分割可能であって分割側に前記第１のテープ芯の内周面および前記第２のテープ芯の内周面を嵌合可能な集積側ドラム本体と、該集積側ドラム本体を支持する集積側回転軸とを有し、前記巻戻し側のドラムは、軸方向に分割可能であって分割側に前記第１のテープ芯の内周面および前記第２のテープ芯の内周面を嵌合可能な巻戻し側ドラム本体と、該巻戻し側ドラム本体を支持する巻戻し側回転軸とを有することを特徴としている。
【００１０】
請求項３に係る発明は、請求項１または２に係る発明において、前記巻付情報は、前記集積側のドラムへの前記テープの巻付処理の実行回数と、前記巻付処理毎の紙葉類収納量または前記巻付処理１回当たりの紙葉類平均収納量からなることを特徴としている。
【００１１】
請求項４に係る発明は、請求項１乃至３のいずれか一項に係る発明において、前記制御部は、前記巻付情報を常時監視しつつ、該巻付情報が所定の入れ替え条件に合致すると、前記テープの前記集積側と前記巻戻し側との入れ替えを指示する一方、前記巻付情報が所定の交換条件に合致すると、前記テープの交換を指示することを特徴としている。
【００１２】
請求項５に係る発明は、請求項１乃至３のいずれか一項に係る発明において、前記制御部は、操作部に照会指示が入力されると、該入力時点での巻付情報が所定の入れ替え条件に合致する場合、前記テープの前記集積側と前記巻戻し側との入れ替えを指示する一方、前記入力時点での巻付情報が所定の交換条件に合致する場合、前記テープの交換を指示し、さらに前記入力時点での巻付情報が前記入れ替え条件および前記交換条件のいずれにも合致しない場合、テープの現状維持を指示することを特徴としている。
請求項６に係る発明は、外部の紙葉類搬送手段から送り込まれた紙葉類を、テープとともに集積側のドラムに巻き付けることで集積し、前記テープを巻戻し側のドラムで巻き取ることで前記集積側のドラムに集積されていた紙葉類を前記紙葉類搬送手段へ繰り出す紙葉類集積繰出装置において、前記集積側のドラムへの前記テープの巻付情報に基づいて、現在使用中の前記テープの前記集積側と前記巻戻し側とをそれまでとは逆にする入れ替え、および前記テープの新品への交換のいずれか一方を選択して指示する制御部を有し、前記巻付情報は、前記集積側のドラムへの前記テープの巻付処理の実行回数と、前記巻付処理毎の紙葉類収納量または前記巻付処理１回当たりの紙葉類平均収納量からなることを特徴としている。
請求項７に係る発明は、請求項６に係る発明において、前記制御部は、前記巻付情報を常時監視しつつ、該巻付情報が所定の入れ替え条件に合致すると、前記テープの前記集積側と前記巻戻し側との入れ替えを指示する一方、前記巻付情報が所定の交換条件に合致すると、前記テープの交換を指示することを特徴としている。
請求項８に係る発明は、請求項６に係る発明において、前記制御部は、操作部に照会指示が入力されると、該入力時点での巻付情報が所定の入れ替え条件に合致する場合、前記テープの前記集積側と前記巻戻し側との入れ替えを指示する一方、前記入力時点での巻付情報が所定の交換条件に合致する場合、前記テープの交換を指示し、さらに前記入力時点での巻付情報が前記入れ替え条件および前記交換条件のいずれにも合致しない場合、テープの現状維持を指示することを特徴としている。
請求項９に係る発明は、外部の紙葉類搬送手段から送り込まれた紙葉類を、テープとともに集積側のドラムに巻き付けることで集積し、前記テープを巻戻し側のドラムで巻き取ることで前記集積側のドラムに集積されていた紙葉類を前記紙葉類搬送手段へ繰り出す紙葉類集積繰出装置において、前記集積側のドラムへの前記テープの巻付情報に基づいて、現在使用中の前記テープの前記集積側と前記巻戻し側とをそれまでとは逆にする入れ替え、および前記テープの新品への交換のいずれか一方を選択して指示する制御部を有し、前記制御部は、前記巻付情報を常時監視しつつ、該巻付情報が所定の入れ替え条件に合致すると、前記テープの前記集積側と前記巻戻し側との入れ替えを指示する一方、前記巻付情報が所定の交換条件に合致すると、前記テープの交換を指示することを特徴としている。
請求項１０に係る発明は、外部の紙葉類搬送手段から送り込まれた紙葉類を、テープとともに集積側のドラムに巻き付けることで集積し、前記テープを巻戻し側のドラムで巻き取ることで前記集積側のドラムに集積されていた紙葉類を前記紙葉類搬送手段へ繰り出す紙葉類集積繰出装置において、前記集積側のドラムへの前記テープの巻付情報に基づいて、現在使用中の前記テープの前記集積側と前記巻戻し側とをそれまでとは逆にする入れ替え、および前記テープの新品への交換のいずれか一方を選択して指示する制御部を有し、前記制御部は、操作部に照会指示が入力されると、該入力時点での巻付情報が所定の入れ替え条件に合致する場合、前記テープの前記集積側と前記巻戻し側との入れ替えを指示する一方、前記入力時点での巻付情報が所定の交換条件に合致する場合、前記テープの交換を指示し、さらに前記入力時点での巻付情報が前記入れ替え条件および前記交換条件のいずれにも合致しない場合、テープの現状維持を指示することを特徴としている。
【発明の効果】
【００１３】
請求項１，６，９，１０に係る発明によれば、制御部が、集積側のドラムへのテープの巻付情報に基づいて、テープの集積側と巻戻し側との入れ替え、およびテープの交換のいずれか一方を選択して指示するため、テープのメンテナンス内容を適正に指示することができる。よって、テープの集積側と巻戻し側との入れ替えの指示にしたがって、テープの集積側と巻戻し側とを入れ替えることで、テープの入れ替え前に使用頻度が低かった部分を有効利用でき、テープの寿命を延ばしてコストを低減することができる。
【００１４】
請求項１に係る発明によれば、集積側のドラムおよび巻戻し側のドラムは、いずれも、テープの一端側が固定される第１のテープ芯とテープの他端側が固定される第２のテープ芯とが取付可能となっているため、テープの集積側と巻戻し側との入れ替えの指示が出された場合に、集積側のドラムおよび巻戻し側のドラムのいずれか一方に第１のテープ芯を、いずれか他方に第２のテープ芯を取り付けた状態から、集積側のドラムおよび巻戻し側のドラムのいずれか他方に第１のテープ芯を、いずれか一方に第２のテープ芯を取り付けることで、容易に、テープの集積側と巻戻し側との入れ替え作業を行うことができる。しかも、交換時には、第１のテープ芯、第２のテープ芯およびこれらに介装されたテープを交換すれば良く、交換すべき部品全体の製造コストを低減することができる。
【００１５】
請求項２に係る発明によれば、集積側ドラム本体および巻戻し側ドラム本体が、いずれも軸方向に分割可能であって分割側に第１のテープ芯の内周面および第２のテープ芯の内周面を嵌合可能となっているため、テープの集積側と巻戻し側との入れ替え作業の容易化を図った上で、集積側ドラム本体および巻戻し側ドラム本体に、第１のテープ芯および第２のテープ芯を確実に保持することができる。
【００１６】
請求項３，６に係る発明によれば、巻付情報が、集積側のドラムへのテープの巻付処理の実行回数と、巻付処理毎の紙葉類収納量または巻付処理１回当たりの紙葉類平均収納量からなるため、制御部は、例えば、巻付処理の実行回数が所定回数に達した時点での、紙葉類収納量が大量である場合の回数が基準回数以下であるか、または紙葉類平均収納量が所定値以下であれば、テープの集積側と巻戻し側との入れ替えを指示し、逆であれば、テープの交換を指示する等の制御を行うことができる。
【００１７】
請求項４，７，９に係る発明によれば、制御部が、巻付情報を常時監視しつつ、該巻付情報が所定の入れ替え条件に合致すると、テープの集積側と巻戻し側との入れ替えを指示する一方、巻付情報が所定の交換条件に合致すると、テープの交換を指示することになるため、自動的に最適なタイミングで入れ替えまたは交換を指示することができる。
【００１８】
請求項５，８，１０に係る発明によれば、操作部に照会指示が入力されると、制御部は、この入力時点での巻付情報が所定の入れ替え条件に合致する場合、テープの集積側と巻戻し側との入れ替えを指示する一方、入力時点での巻付情報が所定の交換条件に合致する場合、テープの交換を指示することになり、さらに入力時点での巻付情報が入れ替え条件および交換条件のいずれにも合致しない場合、テープの現状維持を指示するため、任意時点での巻付情報に基づいて、現状維持または入れ替えまたは交換を指示することができる。
【図面の簡単な説明】
【００１９】
【図１】本発明の一実施形態に係る紙葉類集積繰出装置の側断面図である。
【図２】本発明の一実施形態に係る紙葉類集積繰出装置のブロック図である。
【図３】本発明の一実施形態に係る紙葉類集積繰出装置の要部の巻取り状態の斜視図である。
【図４】本発明の一実施形態に係る紙葉類集積繰出装置の要部の巻戻し状態の斜視図である。
【図５】本発明の一実施形態に係る紙葉類集積繰出装置の要部の分解斜視図である。
【図６】本発明の一実施形態に係る紙葉類集積繰出装置の制御部の制御内容を示すフローチャートである。
【発明を実施するための形態】
【００２０】
本発明の一実施形態に係る紙葉類集積繰出装置を図面を参照して以下に説明する。
紙葉類集積繰出装置は、例えば、紙葉類としての紙幣を取り扱う紙幣処理機内に設けられて、紙幣を繰り出し可能に一時貯留させるものである。
【００２１】
図１に示す紙葉類集積繰出装置１１は、外部の搬送部（紙葉類搬送手段）１２から一枚ずつ分離された状態で搬送されてくる紙葉類を順次受け入れて収納し、収納した紙葉類を内部から一枚ずつ分離した状態で順次繰り出すものである。紙葉類集積繰出装置１１の筐体１４には、その搬送部１２側の前面に、搬送部１２との間で紙葉類の受け渡しを行う入出口１３が形成されており、この入出口１３の近傍には、入出口１３を通過した紙葉類を計数するセンサ１５が設けられている。
【００２２】
紙葉類集積繰出装置１１は、筐体１４内の入出口１３側に集積側のドラム２０を有しており、筐体１４内の入出口１３とは反対側に巻戻し側のドラム２１を有している。これらドラム２０，２１は、互いに平行をなすように筐体１４内に設置されている。そして、集積側のドラム２０にテープ２２の一端が固定され、このテープ２２の他端が巻戻し側のドラム２１に固定されることで、これら一対のドラム２０，２１間にテープ２２が張り渡されている。
【００２３】
集積側のドラム２０に巻き付けられたテープ２２は、集積側のドラム２０の下部から、搬送部１２と略同一直線をなすように入出口１３側に延出されることになり、ローラ２４によって下側に折り返され、ローラ２５とローラ２６とローラ２７とで案内されて入出口１３とは反対側に延出した後、ローラ２７から上方に向けて延出して巻戻し側のドラム２１に巻き付けられる。このとき、テープ２２は巻戻し側のドラム２１の入出口１３側から下方に延出するように巻戻し側のドラム２１に巻き付けられる。ここで、上記したローラ２４の上側にはローラ２８が配置されている。
【００２４】
紙葉類集積繰出装置１１は、図２に示すように、集積側のドラム２０を駆動する巻取りモータ３１と、巻戻し側のドラム２１を駆動する巻戻しモータ３２と、これらを制御する制御部３３とを有している。この制御部３３は、この紙葉類集積繰出装置１１が設置される紙幣処理機の全体を制御するもので、紙幣処理機の操作部３４と表示部３５とにも接続されている。
【００２５】
そして、紙葉類の収納時には、搬送部１２で一枚ずつ分離された状態で搬送されてきた紙葉類が、搬送部１２側の搬送駆動力で搬送部１２の末端から紙葉類集積繰出装置１１の入出口１３へ一定速度で送り込まれる。このとき、紙葉類集積繰出装置１１では、集積側のドラム２０および巻戻し側のドラム２１が、所定の紙葉類収納方向（図１における時計回り方向）に回転しており、集積側のドラム２０でテープ２２を巻き取りながら巻戻し側のドラム２１でテープ２２を繰り出すことになる。これにより、搬送部１２から入出口１３へ送り込まれた紙葉類は、上下のローラ２８，２４で案内され、テープ２２に重ね合わせられてテープ２２とともに、テープ２２のすでに集積側のドラム２０に巻き付けられている部分に巻き付けられることでテープ２２の間に挟持されることになる。このようにして、紙葉類集積繰出装置１１に順次送り込まれる紙葉類が、集積側のドラム２０にテープ２２とともに巻き付けられることになって集積される。このように、巻戻し側のドラム２１でテープ２２を繰り出しつつ集積側のドラム２０でテープ２２を巻き取って、集積側のドラム２０に、搬送部１２から送り込まれた紙葉類を収納する動作が巻取り動作である（図１，図３参照）。なお、一の巻取り動作中にセンサ１５で計数される紙葉類の計数値が、紙葉類集積繰出装置１１の一の収納処理による紙葉類の収納枚数となり、制御部３３は各収納処理毎に紙葉類の収納枚数を記憶することになる。
【００２６】
逆に、巻戻し側のドラム２１および集積側のドラム２０が、上記と反対の所定の紙葉類繰出方向（図１における反時計回り方向）に回転することで、巻戻し側のドラム２１でテープ２２を巻き取りながら集積側のドラム２０でテープ２２を繰り出すことになる。これにより、集積側のドラム２０に集積されていた紙葉類は、テープ２２のこれに重なる部分が集積側のドラム２０からテープ２２とともに離れることでドラム２０から繰り出され、ローラ２４，２８間から入出口１３側に出る際にテープ２２から分離されて搬送部１２へと繰り出される。このように、巻戻し側のドラム２１でテープ２２のみを巻取りつつ集積側のドラム２０でテープ２２および紙葉類を繰り出して、集積側のドラム２０に収納していた紙葉類を、搬送部１２に繰り出す動作が巻戻し動作である（図４参照）。
【００２７】
このように、集積側のドラム２０と巻戻し側のドラム２１との間でテープ２２の巻取り動作および巻戻し動作を行うことにより、紙葉類集積繰出装置１１は、一枚ずつ導入される紙葉類の集積収納および分離繰り出しを行う。
【００２８】
図５に示すように、テープ２２は、略円筒形状のテープ芯（第１のテープ芯）４１に一端側が固定され、略円筒形状のテープ芯（第２のテープ芯）４２に他端側が固定されている。これらテープ芯４１，４２は、同一形状をなしており、それぞれの内周面には、軸方向中央から径方向に沿って内方に突出する円柱状の突起４４が、１８０度位相を異ならせて一対（二箇所）設けられている。これらのテープ芯４１，４２は、同一形状であることから、同じ内径、同じ外径、同じ軸方向長となっており、それぞれに設けられた突起４４の径および軸方向長も同じとなっている。
【００２９】
集積側のドラム２０は、軸方向に分割された一対の分割体４８，４８とこれら分割体４８，４８同士を接合する図示略のボルトおよびナット等の締結具とを有する集積側ドラム本体４９と、集積側ドラム本体４９を着脱可能に支持する集積側回転軸５０とを有している。なお、集積側回転軸５０は、図２に示す巻取りモータ３１で駆動されるもので、図示略の相対回転規制機構により集積側ドラム本体４９と一体回転する。
【００３０】
図５に示すように、一対の分割体４８，４８は、同形状をなしており、テープ芯４１，４２の内周面を嵌合可能な嵌合部５２と、嵌合部５２の軸方向一端側から径方向に段差状をなす嵌合部５２よりも大径の大径部５３とを有している。嵌合部５２は、テープ芯４１，４２の軸方向長の半分の長さ部分を嵌合させることになり、その軸方向における大径部５３とは反対側の端部の外周側には、テープ芯４１，４２の一対の突起４４，４４の径方向の半分を嵌合させるための半円筒面状の嵌合凹部５４が１８０度位相を異ならせて一対（二箇所）形成されている。さらに、嵌合部５２には、図示略の締結具を挿通させるための取付穴５５が複数形成されている。
【００３１】
一対の分割体４８，４８は、互いの嵌合部５２，５２にテープ芯４１あるいはテープ芯４２を、それぞれの一対の嵌合凹部５４，５４の位相を一対の突起４４，４４と合わせながら嵌合させることになり、互いの嵌合部５２，５２同士が当接した状態で図示略の締結具で連結される。この状態で、一対の分割体４８，４８およびテープ芯４１あるいはテープ芯４２が一体となる。これにより、集積側のドラム２０は、テープ芯４１およびテープ芯４２がいずれも取付可能とされており、集積側ドラム本体４９は、分割側にテープ芯４１，４２の内周面を嵌合可能となっている。なお、大径部５３の外径は、テープ芯４１，４２の外径と同等になっている。また、集積側ドラム本体４９の軸方向長は、紙葉類の搬送方向に直交する方向の幅に対して同等以上となっている。
【００３２】
巻戻し側のドラム２１は、軸方向に分割された一対の分割体５８，５８とこれら分割体５８，５８同士を接合する図示略のボルトおよびナット等の締結具とを有する巻戻し側ドラム本体５９と、巻戻し側ドラム本体５９を着脱可能に支持する巻戻し側回転軸６０とを有している。なお、巻戻し側回転軸６０は、図２に示す巻戻しモータ３２で駆動されるもので、図示略の相対回転規制機構により巻戻し側ドラム本体５９と一体回転する。
【００３３】
図５に示すように、一対の分割体５８，５８は、同形状をなしており、テープ芯４１，４２の内周面を嵌合可能な嵌合部６２と、嵌合部６２の軸方向一端側から径方向に広がるフランジ部６３とを有している。嵌合部６２は、テープ芯４１，４２の軸方向長の半分の長さ部分を嵌合させることになり、その軸方向におけるフランジ部６３とは反対側の端部の外周側には、テープ芯４１，４２の一対の突起４４，４４の径方向の半分を嵌合させるための半円筒面状の嵌合凹部６４が１８０度位相を異ならせて一対（二箇所）形成されている。さらに、嵌合部６２には、図示略の締結具を挿通させるための取付穴６５が複数形成されている。
【００３４】
一対の分割体５８，５８は、互いの嵌合部６２，６２にテープ芯４１あるいはテープ芯４２を、それぞれの一対の嵌合凹部６４，６４の位相を一対の突起４４，４４と合わせながら嵌合させることになり、互いの嵌合部６２，６２同士が当接した状態で図示略の締結具で連結される。この状態で、一対の分割体５８，５８およびテープ芯４１あるいはテープ芯４２が一体となる。これにより、巻戻し側のドラム２１も、テープ芯４１およびテープ芯４２がいずれも取付可能とされており、巻戻し側ドラム本体５９は、分割側にテープ芯４１，４２の内周面を嵌合可能となっている。なお、フランジ部６３の外径は、テープ芯４１，４２にテープ２２を最大量巻き付けたときの外径よりも大きくなっている。
【００３５】
次に、本実施形態に係る紙葉類集積繰出装置１１の制御部３３の制御内容の要部を図６に示すフローチャートを参照して説明する。
【００３６】
制御部３３は、集積側のドラム２０へのテープ２２および紙葉類の巻付処理、つまり紙葉類集積繰出装置１１での紙葉類の収納処理を実行したか否かを判定し（ステップＳ１）、集積側のドラム２０へのテープ２２および紙葉類の巻付処理を実行すると（ステップＳ１：ＹＥＳ）、巻付情報である巻付処理の実行回数ｎを１加算する（ステップＳ２）。次に、制御部３３は、巻付情報である当該巻付処理で収納した紙葉類の収納枚数ｍが所定の判断値Ｍ（例えば、最大収納可能枚数１００枚の場合にその半分の５０枚）以上であったか否かを判定し（ステップＳ３）、収納枚数ｍが判断値Ｍ以上であった場合（ステップＳ３：ＹＥＳ）、大量収納実行回数ａを１加算する（ステップＳ４）。
【００３７】
制御部３３は、ステップＳ３にて収納枚数ｍが判断値Ｍ未満であった場合は大量収納実行回数ａをそのままとし、ステップＳ３にて収納枚数ｍが所定値Ｍ以上であった場合はステップＳ４で大量収納実行回数ａを１加算した後、巻付処理の実行回数ｎが、所定の判断回数Ｎ（例えば１００００回）以上となったか否かを判定する（ステップＳ５）。実行回数ｎが判断回数Ｎに達していない場合（ステップＳ５：ＮＯ）は、ステップＳ１に戻り、実行回数ｎが判断回数Ｎに達している場合（ステップＳ５：ＹＥＳ）は、大量収納実行回数ａが所定の基準回数Ａ（例えば判断回数１００００回の半分の５０００回）以下であるか否かを判定する（ステップＳ６）。
【００３８】
そして、制御部３３は、大量収納実行回数ａが所定の基準回数Ａ以下の場合（ステップＳ６：ＹＥＳ）は、テープの集積側と巻戻し側との入れ替えを行ったか否かを示す入替済フラグＦ（後述）がセットされている（Ｆ＝１）か否かを判定する（ステップＳ７）。入替済フラグＦがセットされていなければ（ステップＳ７：ＮＯ）、制御部３３は、表示部３５に、入替指示信号を出力して、現在使用中のテープ２２の集積側と巻戻し側との入れ替えを指示する表示を表示させる（ステップＳ８）。他方、大量収納実行回数ａが所定の基準回数Ａ以下であっても（ステップＳ６：ＹＥＳ）、入替済フラグＦがセットされている場合（ステップＳ７：ＹＥＳ）、つまり現在使用中のテープ２２の集積側と巻戻し側との入れ替えを一度行っている場合と、大量収納実行回数ａが所定の基準回数Ａを超える場合（ステップＳ６：ＮＯ）については、制御部３３は、表示部３５に、交換指示信号を出力して、新品のテープ２２への交換を指示する表示を表示させる（ステップＳ９）。なお、外部の管理担当部署の管理機に入替指示信号および交換指示信号を出力することで、この管理機を用いて、現在使用中のテープ２２の集積側と巻戻し側との入れ替えを指示したり、新品のテープ２２への交換を指示したりしても良い。入替指示信号および交換指示信号は、紙葉類集積繰出装置１１を強制ストップさせないレベルの注意信号となっている。
【００３９】
ステップＳ８の実行により、表示部３５に、テープ２２の集積側と巻戻し側との入れ替えを指示する表示が表示されると、操作者は、集積側回転軸５０および巻戻し側回転軸６０から、テープ芯４１を保持する集積側ドラム本体４９、テープ芯４２を保持する巻戻し側ドラム本体５９およびテープ芯４１とテープ芯４２との間に張られたテープ２２を取り外すことになる。そして、操作者は、集積側ドラム本体４９の分割体４８，４８を分割してテープ芯４１を取り外すとともに、巻戻し側ドラム本体５９の分割体５８，５８を分割してテープ芯４２を取り外す。
【００４０】
次に、操作者は、このテープ芯４２の内周面に分割体４８，４８の嵌合部５２，５２を嵌合させつつ分割体４８，４８同士を結合させて集積ドラム本体４９とするとともに、テープ芯４１の内周面に分割体５８，５８の嵌合部６２，６２を嵌合させつつ分割体５８，５８同士を結合させて巻戻し側ドラム本体５９とする。そして、操作者は、集積側ドラム本体４９を集積側回転軸５０に、巻戻し側ドラム本体５９を巻戻し側回転軸６０に、それぞれ取り付けることになる。
【００４１】
このとき、操作者は、上記したように、集積側のドラム２０に巻き付けられたテープ２２が、集積側のドラム２０の下部から、搬送部１２と略同一直線をなすように入出口１３側に延出され、ローラ２４によって下側に折り返され、ローラ２５とローラ２６とローラ２７とで案内されて入出口１３とは反対側に延出した後、ローラ２７から上方に向けて延出して巻戻し側のドラム２１に前部に至る状態となるように、取り付けることになる。
【００４２】
以上により、テープ２２の集積側と巻戻し側とがそれまでとは逆となるように入れ替えられた状態となる。なお、このとき、集積側のドラム２０および巻戻し側のドラム２１への巻き付け関係から、テープ２２は、集積側のドラム２０に対してそれまでとは表裏逆側の面で巻き付くことになり、巻戻し側のドラム２１にもそれまでとは表裏逆側の面で巻き付くことになる。よって、テープ２２は、それまでとは表裏逆側の面で紙葉類を集積側のドラム２０に巻き付けることになる。
【００４３】
そして、テープ２２の集積側と巻戻し側とを入れ替える作業が終了すると、操作者は操作部３４にリセット操作を行うことになり（ステップＳ１０：ＹＥＳ）、これにより、制御部３３は、入替済フラグＦをセットし（ステップＳ１１）、表示部３５に、入替指示停止信号を出力して、テープ２２の集積側と巻戻し側との入れ替えを指示する表示を停止させる（ステップＳ１２）。加えて、巻付処理の実行回数ｎおよび大量収納実行回数ａをそれぞれ０にリセットする（ステップＳ１３）。
【００４４】
他方、ステップＳ９に実行により、表示部３５に、新品のテープ２２への交換を指示する表示が表示されると、操作者は、上記と同様に、集積側回転軸５０および巻戻し側回転軸６０から、集積側ドラム本体４９および巻戻し側ドラム本体５９を、テープ芯４１、テープ芯４２およびテープ２２とともに取り外し、集積側ドラム本体４９の分割体４８，４８を分割し、巻戻し側ドラム本体５９の分割体５８，５８を分割して、テープ芯４１およびテープ芯４２を取り外す。
【００４５】
次に、操作者は、テープ芯４１およびテープ芯４２とこれらの間に張られたテープ２２からなる新品の交換部品を準備し、この交換部品を、テープ芯４１の内周面に分割体４８，４８の嵌合部５２，５２を嵌合させつつ分割体４８，４８同士を結合させて集積ドラム本体４９とするとともに、テープ芯４２の内周面に分割体５８，５８の嵌合部６２，６２を嵌合させつつ分割体５８，５８同士を結合させて巻戻し側ドラム本体５９とする。そして、操作者は、集積側ドラム本体４９を集積側回転軸５０に、巻戻し側ドラム本体５９を巻戻し側回転軸６０に、それぞれ取り付けることになる。このときも、操作者は、上記したように、テープ２２が集積側のドラム２０の下部から入出口１３側に延出され、ローラ２４によって下側に折り返され、ローラ２５とローラ２６とローラ２７とで案内されて入出口１３とは反対側に延出した後、ローラ２７から上方に向けて延出して巻戻し側のドラム２１に前部に至る状態となるように、取り付けることになる。
【００４６】
そして、新品のテープ２２への交換作業が終了すると、操作者は操作部３４にリセット操作を行うことになり（ステップＳ１４：ＹＥＳ）、これにより、制御部３３は、表示部３５に、交換指示停止信号を出力して、新品のテープ２２への交換を指示する表示を停止させる（ステップＳ１５）。加えて、巻付処理の実行回数ｎ、大量収納実行回数ａおよび入替済フラグＦをそれぞれ０にリセットする（ステップＳ１６）。
【００４７】
以上により、制御部３３は、集積側のドラム２０へのテープ２２の巻付情報に基づいて、テープ２２の集積側と巻戻し側との入れ替え、およびテープ２２の交換のいずれか一方の指示を選択し、この指示を表示部３５を用いて、この紙葉類集積繰出装置１１の操作者に発信することになる。
【００４８】
つまり、制御部３３は、巻付情報である巻付処理の実行回数ｎと巻付処理毎の紙葉類収納量に基づく大量収納実行回数ａとを常時監視しつつ、巻付情報が所定の入れ替え条件である、巻付処理の実行回数ｎ≧判断回数Ｎかつ大量収納実行回数ａ≦基準回数Ａに合致すると、テープの集積側と巻戻し側との入れ替えを指示する一方、巻付情報が所定の交換条件（巻付処理の実行回数ｎ≧判断回数Ｎ、かつ大量収納実行回数ａ＞基準回数Ａ）に合致すると、テープの交換を指示する。
【００４９】
具体的に、一回の巻付処理の紙葉類の最大集積量が１００枚／回に設定されている場合に、制御部３３は、巻付処理の実行回数ｎが、判断回数Ｎである１００００回に達したときをテープ交換時期とし、その際に、最大集積量の半分以上、つまり収納枚数ｍが判断値Ｍである５０枚以上の巻付処理が１００００回のうち何回発生したかを算出し、判断値Ｍである５０枚以上の巻付処理の実行回数である大量収納実行回数ａが、基準回数Ａである５０００回以下の場合には、テープの集積側と巻戻し側との入れ替えを指示する一方、大量収納実行回数ａが、基準回数Ａである５０００回より多い場合には、新品のテープ２２への交換を指示する。なお、判断回数Ｎ、判断値Ｍ、基準回数Ａ等は任意に設定可能であり、例えば、紙葉類として特に流通紙幣が汚れているものが多い国の紙幣を取り扱う場合にあっては、テープ交換時期を判断する判断回数Ｎを通常回数の８０％（例えば８０００回）に設定する等、低く設定することが好ましい。
【００５０】
以上に述べた本実施形態の紙葉類集積繰出装置１１によれば、制御部３３が、集積側のドラム２０へのテープ２２の巻付情報（巻付処理の実行回数ｎおよび大量収納実行回数ａ）に基づいて、テープ２２の集積側と巻戻し側との入れ替え、およびテープ２２の新品への交換のいずれか一方を選択して指示するため、テープ２２のメンテナンス内容を適正に指示することができ、円滑な業務運用が図れる。そして、テープ２２の集積側と巻戻し側との入れ替えの指示にしたがって、テープ２２の集積側と巻戻し側とを入れ替えることで、テープ２２の入れ替え前に使用頻度が低かった部分を有効利用でき、テープ２２の寿命を延ばしてコストを低減することができる。
【００５１】
また、集積側のドラム２０および巻戻し側のドラム２１は、いずれも、テープ２２の一端側が固定されるテープ芯４１とテープ２２の他端側が固定されるテープ芯４２とが取付可能となっているため、テープ２２の集積側と巻戻し側との入れ替えの指示が出された場合に、集積側のドラム２０および巻戻し側のドラム２１のいずれか一方にテープ芯４１を、いずれか他方にテープ芯４２を取り付けた状態から、集積側のドラム２０および巻戻し側のドラム２１のいずれか他方にテープ芯４１を、いずれか一方にテープ芯４２を取り付けることで、容易に、テープ２２の集積側と巻戻し側との入れ替え作業を行うことができる。しかも、交換時には、テープ芯４１、テープ芯４２およびこれらに介装されたテープ２２を交換すれば良く、交換すべき部品全体の製造コストを低減することができる。
【００５２】
また、集積側ドラム本体４９および巻戻し側ドラム本体５９が、いずれも軸方向に分割可能であって分割側にテープ芯４１の内周面およびテープ芯４２の内周面を嵌合可能となっているため、テープ２２の集積側と巻戻し側との入れ替え作業の容易化を図った上で、集積側ドラム本体４９および巻戻し側ドラム本体５９に、テープ芯４１およびテープ芯４２を確実に保持することができる。
【００５３】
また、巻付情報が、集積側のドラム２０へのテープ２２の巻付処理の実行回数ｎと、巻付処理毎の紙葉類収納量に基づく大量収納実行回数ａとからなるため、制御部３３は、例えば、巻付処理の実行回数ｎが所定回数Ｎに達した時点で、紙葉類収納量が大量である場合の大量収納実行回数ａが基準回数Ａ以下であれば、テープ２２の集積側と巻戻し側との入れ替えを指示し、逆であれば、テープ２２の新品への交換を指示する制御を行うことができる。
【００５４】
また、制御部３３が、巻付情報（巻付処理の実行回数ｎおよび大量収納実行回数ａ）を常時監視しつつ、該巻付情報が所定の入れ替え条件（巻付処理の実行回数ｎ≧判断回数Ｎ、かつ大量収納実行回数ａ≦基準回数Ａ）に合致すると、テープ２２の集積側と巻戻し側との入れ替えを指示する一方、巻付情報が所定の交換条件（巻付処理の実行回数ｎ≧判断回数Ｎかつ大量収納実行回数ａ＞基準回数Ａ）に合致すると、テープ２２の交換を指示することになるため、自動的に最適なタイミングで入れ替えまたは交換を指示することができる。
【００５５】
なお、以上の実施形態では、テープ芯４１、テープ２２およびテープ芯４２を一つの部品として、この部品全体を入れ替えることで、テープ２２の集積側と巻戻し側との入れ替えを行う場合を例にとり説明したが、テープ２２が集積側のドラム２０および巻戻し側のドラム２１に対して着脱可能である場合、テープ２２のみで集積側と巻戻し側との入れ替えを行っても良い。また、一方のドラムを集積側および巻戻し側の両用とし、他方のドラムも集積側および巻戻し側の両用とすることで、ドラム、テープおよびドラムを一つの部品として、この部品全体を入れ替えることで、テープの集積側と巻戻し側との入れ替えを行うようにしても良い。しかしながら、上記実施形態のようにテープ芯４１、テープ２２およびテープ芯４２を一つの部品として、この部品全体を入れ替えるようにすれば、テープのみを交換する場合と比べてテープ２２の脱落等の可能性が低くなって信頼性が向上することになり、ドラム、テープおよびドラムを入れ替える場合と比べて交換用の新品部品のコストを低減できる。
【００５６】
また、以上の実施形態では、制御部３３が、巻付情報を常時監視しつつ、この巻付情報が条件に合致すると、入れ替えや交換を指示するようにしたが、紙葉類集積繰出装置１１の操作者により操作部３４に照会指示が入力されたり、外部の管理担当部署の管理機で照会指示が入力されたりした場合に、この入力時点での巻付情報（巻付処理の実行回数ｎおよび大量収納実行回数ａ）を読み出し、この巻付情報が所定の入れ替え条件（巻付処理の実行回数ｎ≧判断回数Ｎ、かつ大量収納実行回数ａ≦基準回数Ａ）に合致する場合、テープ２２の集積側と巻戻し側との入れ替えを指示する一方、上記した入力時点での巻付情報が所定の交換条件（巻付処理の実行回数ｎ≧判断回数Ｎかつ大量収納実行回数ａ＞基準回数Ａ）に合致する場合、テープ２２の新品への交換を指示し、さらに上記した入力時点での巻付情報が入れ替え条件および交換条件のいずれにも合致しない場合、テープ２２の現状維持を指示するようにしても良い。つまり、操作部３４に照会指示が入力されると、照会指示に対して解答するように、表示部３５に、入替指示信号を出力して、現在使用中のテープ２２の集積側と巻戻し側との入れ替えを指示する表示を表示させたり、交換指示信号を出力して、現在使用中のテープ２２の新品のテープ２２への交換を指示する表示を表示させたり、現状維持信号を出力して、現在使用中のテープ２２に入れ替えおよび交換がいずれも不要である旨を表示させたりする。このようにすれば、任意時点での巻付情報に基づいて、現状維持または入れ替えまたは交換を指示することができる。
【００５７】
また、以上の実施形態では、巻付情報として、巻付処理毎の紙葉類収納量に基づく大量収納実行回数ａを用いる場合を例にとり説明したが、巻付処理１回当たりの紙葉類平均収納量を用いても良い。この場合、入れ替え条件を、巻付処理の実行回数ｎが判断回数Ｎ以上であり、かつ紙葉類平均収納量ｂが所定の閾値Ｂ以下であることとし、交換条件を、巻付処理の実行回数ｎが判断回数Ｎ以上であり、かつ紙葉類平均収納量ｂが所定の閾値Ｂより大きいこととすることができる。
【００５８】
また、以上の実施形態では、各収納処理毎の紙葉類の収納枚数をセンサ１５で計数する場合を例にとり説明したが、例えば、この紙葉類集積繰出装置１１が設けられた紙幣処理機において入金された紙幣を識別する識別部等、外部の搬送部１２に紙葉類を計数可能な構成部品がある場合には、その計数結果を用いても良い。あるいは、集積側のドラム２０の紙葉類の収納枚数を、ドラム２０の回転量や、巻取りモータ３１の回転量で検出することも可能である。
【００５９】
また、以上の実施形態では、テープ芯４１，４２を同形状のものを用いる場合を例にとり説明したが、集積側ドラム本体４９および巻戻し側ドラム本体５９のいずれにも取付可能とするためには、最低限内径を同等にすれば良い（内径をスペーサ等で調整する作業は煩雑なため）。例えば、軸方向長が相違していてもスペーサ等で容易に調整可能であり、外径については相違していても調整も不要である。ただし、外径が異なれば紙葉類を集積する際に、テープ芯４１，４２で外周面に巻き付くテープの角速度が異なってくるため、制御が煩雑になってしまうが、外径を同一とすれば、制御が容易となるメリットがある。テープ芯４１，４２を同形状のものを用いることにより、製造コストおよび管理コストを大幅に低減することができるメリットがある。
【符号の説明】
【００６０】
１１  紙葉類集積繰出装置
１２  搬送部（紙葉類搬送手段）
２０  集積側のドラム
２１  巻戻し側のドラム
２２  テープ
３３  制御部
４１  テープ芯（第１のテープ芯）
４２  テープ芯（第２のテープ芯）
４９  集積側ドラム本体
５０  集積側回転軸
５９  巻戻し側ドラム本体
６０  巻戻し側回転軸
【図１】
0005420330.tif 000002
【図２】
0005420330.tif 000003
【図３】
0005420330.tif 000004
【図４】
0005420330.tif 000005
【図５】
0005420330.tif 000006
【図６】
0005420330.tif 000007